(57)【特許請求の範囲】
【請求項１】
チューニング信号に基づき同調周波数を制御する同調手段と、
前記同調手段からの同調周波数と前記チューニング信号を入力し、前記同調手段の同調ずれのずれ分に相当する電圧を検出して補正電圧を生成する補正電圧生成手段と、
この補正電圧生成手段により生成された補正電圧を基に前記チューニング信号を補正する補正手段と、を備え、
前記補正電圧生成手段は、
前記チューニング信号に対応する同調周波数を基準として、その前後の周波数範囲の周波数信号を出力する周波数発振器と、
前記同調手段からの同調信号と前記周波数発振器からの周波数信号を入力とし、入力信号を合成する合成手段と、
前記合成手段からの出力信号に基づき補正電圧を生成する手段と、を備えたこと、
を特徴とする同調装置。
【発明の詳細な説明】
【０００１】
【発明の属する技術分野】
本発明は、ＲＦフロントエンド回路における同調回路の同調ずれの補正技術に関する。
【０００２】
【従来の技術】
図４は従来の同調方式の一例を示すブロック図である。
ＲＦフロントエンド回路１００’で、入力端子から入力されたＲＦ信号（無線信号）はＡＧＣアンプ（ＡＧＣＡＭＰ）１で増幅されて同調回路２に入る。同調回路２は後段のＰＬＬ回路Ａ（図４で破線枠内の局部発振回路５、１／ｎ分周器６、位相比較器８、1／Ｎ分周器９、基準発振器１０及びＬＰＦ１１で構成）で作られるチューニング電圧によって入力信号の中心周波数で共振する。
【０００３】
また、同調回路２を通った信号はミキサー（ＭＩＸ）回路３で局部発振器５から発振される局発信号（ローカル信号）と混合されＢＰＦ４を経てＩＦ信号（中間信号）として取り出される。
【０００４】
一方、局発信号は受信機のプリセット周波数に対応した制御信号がマイコン（マイクロコンピュータ）７から出力され、分周器６の分周比を可変にしてｎ分周される。このｎ分周された信号と基準発振器１０の信号を分周器９でＮ分周した周波数とを位相比較器８で位相比較を行い、その差分をＬＰＦ１１で平滑化して得られる電圧（チューニング電圧）を局部発振回路５及び同調回路２にフィードバックして入力信号周波数に同調させる。
【０００５】
【発明が解決しようとする課題】
同調回路２の共振局部発振回路の発振周波数は、通常、図５に示すようなＬＣ回路５０を構成して可変容量ダイオード５１の容量をチューニング電圧で制御し、周波数を変化させる。しかし、可変容量ダイオード５１の非直線領域（図３参照）や可変容量ダイオード（可変容量素子）のばらつきにより同調回路２の共振周波数がずれて正確な同調が行えない場合が生ずるといった問題点があった。
【０００６】
本発明は、上記従来の同調回路に問題点を解消するためになされたものであり、素子の非直線性や特性のばらつきによって生ずる同調ずれを補正して受信帯域内で安定した同調特性を得る同調方式の提供を目的とする。
【０００７】
【課題を解決するための手段】
上記課題を解決するために、第１の発明の同調装置は、チューニング信号に基づき同調周波数を制御する同調手段と、同調手段からの同調周波数とチューニング信号を入力し、同調手段の同調ずれのずれ分に相当する電圧を検出して補正電圧を生成する補正電圧生成手段と、この補正電圧生成手段により生成された補正電圧を基に前記チューニング信号を補正する補正手段と、を備え、補正電圧生成手段は、チューニング信号に対応する同調周波数を基準として、その前後の周波数範囲の周波数信号を出力する周波数発振器と、同調手段からの同調信号と前記周波数発振器からの周波数信号を入力とし、入力信号を合成する合成手段と、合成手段からの出力信号に基づき補正電圧を生成する手段と、を備えたこと、を特徴とする。
【００１０】
【発明の実施の形態】
本発明のＲＦフロントエンド回路では、受信した無線周波信号の同調処理時に従来方式（図１のＰＬＬ回路Ｂ）で作られるチューニング電圧に、本発明の補正電圧生成回路Ｃで得られる補正電圧を加算して同調回路を制御することにより、前述した可変容量ダイオード等の素子のばらつきにより起こる同調ずれを補正し受信帯域内で安定した同調特性を得る。
【００１１】
図１は本発明の同調方式を適用したフロントエンド回路の一実施例を示すブロック図である。
ＲＦフロントエンド回路１００は、ＡＧＣアンプ２１、同調回路２２、ミキサー（ＭＩＸ１）回路２３およびＢＰＦ２４からなる中間周波信号系Ａと、局部発振回路２５、１／ｎ分周器２６、位相比較器２８、1／Ｎ分周器２９、基準発振器３０及びＬＰＦ３１からなるＰＬＬ回路Ｂ（図４のＰＬＬ回路Ａと同一構成）と、電圧制御発振回路（ＶＣＯ回路）３２、ミキサー（ＭＩＸ２）回路３３、ＬＰＦ３４、Ａ／Ｄコンバータ３５、メモリ３６及びレベル比較器３７からなる補正電圧生成回路Ｃと、受信機のプリセット周波数に対応した制御信号をＰＬＬ回路Ｂに与えるマイコン（マイクロコンピュータ）２７と、ＰＬＬ回路Ｂの出力（チューニング電圧）及び補正電圧生成回路Ｃの出力（補正電圧）を加算して同調回路２２に与える加算器３８を備えている。
【００１２】
以下、ＲＦフロントエンド回路１００の動作について説明する。
入力端子から入力されたＲＦ信号（無線信号）はＡＧＣアンプ（ＡＧＣＡＭＰ）２１で増幅されて同調回路２２に入る。同調回路２２は後段の加算器３８からの出力電圧（ＰＬＬ回路Ｂで作られるチューニング電圧及び補正電圧生成回路Ｃで生成される補正電圧の加算結果）によって入力信号の中心周波数で共振する。また、ＰＬＬ回路Ｂで生成されるチューニング電圧は補正電圧生成回路Ｃに与えられる。
また、同調回路２２を通った信号はミキサー（ＭＩＸ）回路２３で局部発振器２５から発振される局発信号と混合されＢＰＦ４２を経てＩＦ信号（中間信号）として取り出される。
【００１３】
一方、局発信号は受信機のプリセット周波数に対応した制御信号がマイコン２７から出力されてＰＬＬ回路Ｂに与えられる。ＰＬＬ回路Ｂでは、マイコン２７から出力した制御信号が分周器２６の分周比を可変にしてｎ分周する。このｎ分周された信号は基準発振器３０の信号を分周器２９でＮ分周した周波数と位相比較器２８で位相比較を行い、その差分をＬＰＦ３１で平滑化して得られる電圧（チューニング電圧）を局部発振回路２５及び加算器３８にフィードバックする。
【００１４】
また、同調回路２２の出力信号がａ点で取り出され、補正電圧生成回路Ｃに与えられる。補正電圧生成回路Ｃは、後述するように、ＰＬＬ回路Ｂで生成されるチューニング電圧と同調回路２２からの出力を基に電圧ずれΔＶを検出しこれをもとに補正電圧を出力して加算器３８に入力する。
【００１５】
（補正電圧生成回路Ｃの動作）
ａ点で取り出された同調回路２２の出力信号は補正電圧生成回路Ｃでミキサー回路３３に入力する。また、ミキサー回路３３のもう一方の入力端子にはスイープ機能付き電圧制御発振回路３２の出力信号（電圧制御発振回路３２はＰＬＬ回路Ｂから出力されるチューニング電圧を入力する）を入力する。
【００１６】
電圧制御発振回路３２は、局部発振回路２５と同様、チューニング電圧の変化によって発振周波数を変化させるが、局部発振回路２５がＲＦ信号周波数とＩＦ信号周波数の和（又は差）の周波数で振動するのに対し、この回路ではＲＦ信号周波数と同一周波数で発振するように設定してあり、更に、図３に示すようにＲＦ信号の中心周波数ｆｃを中心に±ｆの範囲でステップ状に周波数をスイープさせる。
【００１７】
ミキサー回路３３は上述した同調回路２２の出力信号を電圧制御発振回路３２の出力とミキサー回路３３と混合し、その出力をＬＰＦ３４に入力する。
ＬＰＦ３４は図３に示したようなＲＦ信号の中心周波数ｆｃを中心とした各ステップの周波数毎のレベル（電圧値）を取り出す。
ＬＰＦ３４の出力をＡ／Ｄコンバータ３５でＡ／Ｄ変換してメモリ３６に取り込み、レベル比較器３７で中心周波数ｆｃのレベル（電圧値）と、中心周波数ｆｃに対し±ｆの範囲内でずれたときのレベル（電圧値）を比較する。この場合、図２に示すように正確に同調がとれていればｆｃで信号レベルがピークになり、補正電圧は０（ゼロ）となるが、同調がずれてｆｃ＋ｆ１にピークがある場合には電圧のずれΔＶが検出されるのでこれを補正電圧とする。レベル比較器３７の出力（補正電圧）は加算器３８に入力され、加算器３８でＰＬＬ回路Ｂからのチューニング電圧と加算され、同調回路２２の共振局部発振回路の可変容量ダイオード５１（図５）に印加される。これにより、可変ダイオード５１が加算回路の出力電圧によって制御され、同調ずれが補正される。
【００１８】
なお、電圧制御発振回路３２のスイープ周波数範囲や変化させる周波数のステップは変調方式や実際の帯域幅、及び同調回路の共振局部発信回路で使用する素子（可変容量ダイオード）の特性などを考慮して設定する。また、受信機の同調は一度設定すれば頻繁に変更するものではなく、特別高速な処理を要しない。  以上、本発明の一実施例について説明したが本発明は上記実施例に限定されるものではなく、種々の変形実施が可能であることはいうまでもない。
【００１９】
【発明の効果】
上記説明したように、本発明によれば、同調装置（ＲＦフロントエンド回路）において、同調手段の同調のずれ分を検出して補正電圧を生成する補正電圧発生手段を設けているので、従来方式のＰＬＬ回路で作られるチューニング電圧だけの同調で処理しきれない同調ずれに対し、そのずれ分を検出して補正することができる。これにより、使用する受信帯域全域で安定した同調特性を得ることができる。
【図面の簡単な説明】
【図１】本発明の同調方式を適用したＲＦフロントエンド回路の一実施例を示すブロック図である。
【図２】同調特性のずれの説明図である。
【図３】本発明で使用するＶＣＯ回路（電圧制御発振回路）のスイープ特性の説明図である。
【図４】従来の同調方式を適用したＲＦフロントエンド回路の構成例を示すブロック図である。
【図５】同調回路の共振局部発振回路の構成例を示す図である。
【図６】図５の共振局部発振回路で用いられる可変容量ダイオードの容量変化の説明図である。
【符号の説明】
２２  同調回路
３２  ＶＣＯ回路（電圧制御発振回路）
３３  ミキサー回路（可変容量素子）
３８  加算器（補正手段）
１００  ＲＦフロントエンド回路（同調装置）
Ｃ  補正電圧生成回路
【図１】
0004199899.tif 000002
【図２】
0004199899.tif 000003
【図３】
0004199899.tif 000004
【図４】
0004199899.tif 000005
【図５】
0004199899.tif 000006
【図６】
0004199899.tif 000007